(57)【特許請求の範囲】
【請求項１】
不正機器を特定する不正機器リストを保持する不正機器リスト保持手段と、
他の機器から不正機器リストを受信して、前記不正機器リスト保持手段が保持する前記不正機器リストを更新する手段と、
ネットワーク上に接続された１つ以上の機器との間で通信を行って、前記不正機器リストに登録された不正機器の存在を検出する検出手段と、
前記検出手段の検出結果に基づいて前記ネットワーク上に接続された１つ以上の機器に前記不正機器リストに登録された不正機器が存在することが示された場合には、前記不正機器に対するディジタル送信を中止又は禁止させる手段と、
ディジタル送信を中止又は禁止した前記不正機器に対してアナログ伝送を行う手段と、
前記ネットワーク上に接続された機器に不正機器が存在することを前記検出手段が検出した場合には、前記ネットワーク上のいずれの機器が前記不正機器であるかを、前記ネットワーク上の機器の接続関係を示す表示によって表す手段と、
を具備したことを特徴とする不正機器検出装置。
【請求項２】
前記検出手段によって検出された前記不正機器を前記ネットワークから切り離す旨の通知を行う手段をさらに備えることを特徴とする請求項１に記載の不正機器検出装置。
【請求項３】
ネットワーク上に接続された他機に対して、前記不正機器に関する情報に基づく画像表示及び音声出力のうちの少なくとも一方によるユーザーへの通知を依頼することによって、ユーザーへの通知を行う手段をさらに備えることを特徴とする請求項１に記載の不正機器検出装置。
【請求項４】
前記通知を行う手段は、前記不正機器の製造メーカー、前記不正機器を検出した機器の製造メーカー及び前記不正機器リストを管理する機関のうちの少なくとも１つに、前記不正機器に管理する情報を自動又は手動で通知することを特徴とする請求項２又は３のいずれか一方に記載の不正機器検出装置。
【発明の詳細な説明】
【０００１】
【発明の属する技術分野】
本発明は、ネットワークに接続されてディジタル伝送可能な複数の機器に不正機器が含まれる場合に有効な不正機器検出装置に関する。
【０００２】
【従来の技術】
近年、ディジタルデータを伝送するインターフェースとして、ＩＥＥＥ１３９４が注目されている。このインターフェースを映像機器やＰＣ（パーソナルコンピュータ）において用いることにより、画像データ及び音声データ等のコンテンツの伝送を高品質に行うことができる。従って、ＩＥＥＥ１３９４インターフェースを利用することで、ディジタルデータのダビングが容易となる。
【０００３】
ＩＥＥＥ１３９４では、画像データや音声データをリアルタイムに伝送するために、アイソクロナス転送をサポートしている。アイソクロノス転送は、１２５マイクロ秒のアイソクロノスサイクルでコンテンツを同期伝送するものであり、これによって受信機側には一定時間内にデータが伝送されることになり、映像コンテンツであっても、途切れることなく受信可能である。
【０００４】
ＩＥＥＥ１３９４のようなディジタル伝送では、ノイズの混入を防止することができ、信号品質を悪化させないで伝送することができる。従って、ＩＥＥＥ１３９４を利用したディジタル記録においては、オリジナルと同一品質の複製を作成することができ、記録メディアに記録された情報の著作権を保護する必要性が生じる。
【０００５】
このため、ＩＥＥＥ１３９４によって著作権を有するコンテンツを伝送する場合には、著作権保護のための何らかの方策が望まれていた。
【０００６】
この問題に対応するために、５社（ＳＯＮＹ、松下、日立、インテル、東芝）によってディジタルデータの伝送におけるコピープロテクトの規格が立案されている。５社によって規定された５Ｃ  Ｄｉｇｉｔａｌ  Ｔｒａｎｓｍｉｓｓｉｏｎ  Ｃｏｎｔｅｎｔ  Ｐｒｏｔｅｃｔｉｏｎ（以下、ＤＴＣＰ規格という）のドラフト（１９９９−１−２６現在。近日中に規格化予定）によると、コンテンツの伝送に先立って、接続された機器の正当性をチェックするようになっている。
【０００７】
この規格に沿ってコンテンツを伝送することにより、正当な機器間でのみディジタルデータの送受が可能となり、正当でない機器との間ではディジタルデータの送受を行うことができないようになっている。
【０００８】
機器の正当性を判断するために、ＤＴＣＰ規格では、不正な機器のリストであるリボケーションリストを採用する。リボケーションリストは、ＤＴＬＡという機関によって管理されている。リボケーションリストは、違法コピーをする機器や、本来正当な機器であるにも拘わらずその機器が使用する暗号キーが漏洩して、秘匿性がなくなってしまった機器等を不正機器とし、これらの機器の機器番号を格納したものである。
【０００９】
リボケーションリスト等の不正機器リストを機器の製造時に機器内の記憶媒体などに書込んでおくことによって、不正機器の検出を可能にする。即ち、ＩＥＥＥ１３９４のケーブルによって接続された各機器は、記憶媒体内の不正機器リストを読出して、機器の正当性の判断に用いる。
【００１０】
また、不正機器リストはコンテンツが記録された媒体に書込んでおくことによって、この媒体を再生する機器において不正機器リストを更新することが可能である。また、コンテンツの放送時に不正機器リストを放送することで、それを受信することによっても、不正機器リストを更新することができる。更に、ＩＥＥＥ１３９４ケーブルによって接続された機器同士で送受を行って、最新のリボケーションリストを有している機器から入手することによってリストを最新のものにする方法もある。これらの方法によって不正機器リストの最新版を入手することで、機器の正当の判断の有効性を確保することができる。
【００１１】
しかしながら、ＤＴＣＰ規格では、リボケーションリストの配布方法やリボケーションリストを用いたデータ伝送の規制については一部定められているが、不正な機器を検出した場合の対応方法については定められていない。例えば、不正機器を検出した場合のユーザーへの通知方法、ユーザーが採るべき対処方法、また、機器の製造メーカーやリボケーションリストを管理する機関への連絡方法等については規定されていない。
【００１２】
【発明が解決しようとする課題】
このように、従来、不正機器リストの配布及び配布された不正機器リストを用いたデータ伝送の規制については規定されているが、データ伝送が規制されたことをユーザーは知ることができず、必ずしも十分な対応ができるとは限らないという問題点があった。
【００１３】
本発明はかかる問題点に鑑みてなされたものであって、ネットワーク上に接続された不正機器に関する情報を通知することによって、ユーザーが十分な対応をとることを可能にすることができる不正機器検出装置を提供することを目的とする。
【００１４】
【課題を解決するための手段】
本発明に係る不正機器検出装置は、不正機器を特定する不正機器リストを保持する不正機器リスト保持手段と、他の機器から不正機器リストを受信して、前記不正機器リスト保持手段が保持する前記不正機器リストを更新する手段と、ネットワーク上に接続された１つ以上の機器との間で通信を行って、前記不正機器リストに登録された不正機器の存在を検出する検出手段と、前記検出手段の検出結果に基づいて前記ネットワーク上に接続された１つ以上の機器に前記不正機器リストに登録された不正機器が存在することが示された場合には、前記不正機器に対するディジタル送信を中止又は禁止させる手段と、ディジタル送信を中止又は禁止した前記不正機器に対してアナログ伝送を行う手段と、前記ネットワーク上に接続された機器に不正機器が存在することを前記検出手段が検出した場合には、前記ネットワーク上のいずれの機器が前記不正機器であるかを、前記ネットワーク上の機器の接続関係を示す表示によって表す手段と、を具備したことを特徴とするものである。
【００１５】
本発明において、検出手段は、ネットワーク上の１つ以上の機器と通信を行い、不正機器リスト保持手段が保持する不正機器リストを参照して、不正機器リストに登録された機器の存在を検出する。通知手段は、この検出結果に基づいて、不正機器に関する情報をユーザーに通知することを可能にする。
【００１６】
【発明の実施の形態】
以下、図面を参照して本発明の実施の形態について詳細に説明する。図１は本発明の一実施の形態に係る不正機器検出装置が組込まれた機器の一部を示すブロック図である。
【００１７】
図１において、ＩＥＥＥ１３９４バス１上には複数の機器ａ，ｂ，…が接続される。各機器ａ，ｂ，…はＩＥＥＥ１３９４通信部２を介してＩＥＥＥ１３９４バス１に接続されるようになっている。
【００１８】
ＩＥＥＥ１３９４通信部２は、ＩＥＥＥ１３９４バス１を介して他の機器のＩＥＥＥ１３９４通信部２との間でデータの送受を行う。即ち、ＩＥＥＥ１３９４通信部２は、データ処理部３からのデータをＩＥＥＥ１３９４のパケットに変換してＩＥＥＥ１３９４バス１に送出すると共に、ＩＥＥＥ１３９４バス１を介して自機宛に転送されたデータを取込んで、データ処理部３に出力するようになっている。ＩＥＥＥ１３９４通信部２によって、映像データ、音声データ及び各種コマンド等を伝送することができる。また、ＩＥＥＥ１３９４通信部２は、ＩＥＥＥ１３９４の仕様に沿った各種通信処理を実行する。例えば、ＩＥＥＥ１３９４通信部２は、バス使用権の調停を行うバスアービトレーションの実施及びトラフィック状況に関するバス全体への通知等も行うようになっている。
【００１９】
不正機器リスト処理部４は、図示しない記憶部に不正機器リストを格納している。不正機器リスト処理部４は、ＩＥＥＥ１３９４通信部２を制御して、他の機器からの機器固有のＩＤを読みとり、読みとったＩＤと不正機器リストとの照合によって、他の機器が不正機器リストに含まれる不正な機器であるか否かを判断する。
【００２０】
なお、不正機器リスト処理部４は、ネットワークに接続された他の機器が保持している不正機器リスト又は放送、媒体等を介して入手した不正機器リストを用いて、常に不正機器リストを最新のものに更新することができるようになっている。
【００２１】
不正機器リスト処理部４は、判断した結果を不正機器対応処理部５に出力するようになっている。不正機器対応処理部５は、不正機器リスト処理部４の判断結果によって、接続された機器中に不正機器が存在することが示された場合には、この機器に関する情報をユーザー、その機器の製造メーカー、不正機器を検出した機器の製造メーカー及び不正機器リストを管理する機関等に通知することができるようになっている。
【００２２】
例えば、不正機器対応処理部５は、自機内に表示部を有している場合、即ち、図１の機器ｂ内の不正機器リスト処理部４によって不正機器の存在が判断された場合には、機器ｂ内の不正機器対応処理部５は表示部７を制御して、不正機器についての情報を表示させるようになっている。
【００２３】
また、不正機器対応処理部５は、自機内に表示部を有していない場合、即ち、図１の機器ａ内の不正機器リスト処理部４によって不正機器の存在が判断された場合には、機器ａ内の不正機器対応処理部５は、ＩＥＥＥ１３９４通信部２を介して表示部を有する他機に、不正機器についての情報を表示させるための情報を伝送するようになっている。
【００２４】
また、不正機器対応処理部５は、モデムとの間でデータの送受も可能である。不正機器対応処理部５は、モデムを制御して、不正機器についての情報を機器の製造メーカー及び不正機器リストを管理する機関等に送出することができるようになっている。なお、自機内にモデム機能が存在しない場合には、ネットワーク内でモデム機能を有する他の機器に不正機器についての情報を送出して、機器の製造メーカー及び不正機器リストを管理する機関等に不正機器についての情報を伝送させるようにしてもよい。
【００２５】
なお、不正機器対応処理部５が不正機器についての情報を通知する場合には、ユーザーによる指示を待つように設定してもよい。
【００２６】
更に、不正機器対応処理部５は、ネットワーク内に不正機器が存在することが示された場合には、この不正機器に対するデータのディジタル送信を中止又は禁止し、アナログでのデータ伝送に切換えるようにしてもよい。即ち、不正機器対応処理部５は、不正機器の存在が示された場合には、データ処理部３及びアナログＩ／Ｏ部６を制御して、データ処理部３からのデータをアナログＩ／Ｏ部６に供給する。アナログＩ／Ｏ部６は、入力されたデータをアナログ信号に変換し、アナログ伝送路を介して他機に伝送するようになっている。
【００２７】
また、不正機器対応処理部５は、ネットワーク内に不正機器が存在することが示された場合には、この機器宛のデータだけでなく、全てのディジタル伝送を中止又は禁止して、アナログでのデータ伝送に切換えるようにしてもよい。
【００２８】
次に、このように構成された実施の形態の動作について図２及び図３を参照して説明する。図２はネットワークの接続状態を示す説明図である。図３は表示部における表示を示す説明図である。
【００２９】
図２に示すように、ＩＥＥＥ１３９４バス１を介して４台の機器ａ乃至ｄが接続されているものとする。４台の機器ａ乃至ｄのうち機器ｄは不正機器リストに登録されている機器であり、機器ａ，ｂは図１に示す機器であるものとする。
【００３０】
ネットワークを利用したデータの送信に先立って、ネットワーク上の機器は不正機器リストに登録されている機器が接続されているか否かを検出する。例えば、機器ａが不正機器の検出をするものとする。機器ａはデータ送信の直前又は機器がネットワークに接続されると、機器が不正機器リストに登録されているか否かを検出する。
【００３１】
例えば、新たな機器がネットワーク上に接続された場合に不正機器の検出を行うものとする。ネットワーク再構築のためにバスリセットが発生した時点やデータ伝送を行う時点で、機器ａは接続された機器にその一意な機器番号（６４ビツトで表される）（ＩＤ）を要求するためのコマンドをＩＥＥＥ１３９４通信部２介してＩＥＥＥ１３９４バス１上に伝送する。各機器は、ＩＥＥＥ１３９４通信部２を介してこのコマンドを受け取り、自機の機器番号を機器ａに送信する。
【００３２】
ＩＥＥＥ１３９４バス１に接続された他の機器からの機器番号を受信した機器ａは、受信した機器番号を不正機器リスト処理部４に出力する。不正機器リスト処理部４は、接続された機器が不正機器リストに該当する機器であるか否かを判定する。機器ｄの機器番号は不正機器リストに登録されているので、不正機器リスト処理部４は、機器ｄが不正機器であることを示す判定結果を不正機器対応処理部５に出力する。
【００３３】
不正機器対応処理部５は、不正機器リストに該当する機器がネットワークに接続されていることを示す情報及びその機器を特定するための情報、更に、ユーザーの対処方法についての具体的な指示についての情報を出力する。これらの情報（以下、不正機器に関する情報という）を不正機器対応処理部５は、ユーザーに通知するための手段を有する機器に出力する。図１の構成では、不正機器対応処理部５は、自機が表示部を有していないことから、不正機器に関する情報をＩＥＥＥ１３９４通信部２を介して表示部を有する他機ｂに伝送する。
【００３４】
不正機器に関する情報は、ＩＥＥＥ１３９４バス１を介して機器ｂのＩＥＥＥ１３９４通信部２から取込まれる。ＩＥＥＥ１３９４通信部２は、不正機器に関する情報を機器ｂの不正機器対応処理部５に出力する。この不正機器対応処理部５は、入力された情報に基づいて不正機器に関する情報をユーザーに通知するための表示データを作成して表示部７に出力する。表示部７は不正機器に関する情報を表示する。
【００３５】
図３はこの場合の表示部７の表示を示している。
【００３６】
図３では、ネットワークの構成が、機器を示す表示21とバスを示す表示22との組み合わせによって示されている。更に、不正機器リストに該当する機器については、例えば塗りつぶし又は反転表示等によって表示している。更に、余白部分にユーザーが取るべき処置について説明書きが表示される。ユーザーの処置としては、ネットワークから不正機器を切り離すこと及び所定の機関等に連絡すること等が指示されている。機器の製造メーカーや不正機器リストを管理する機関の連絡先を表示して対応方法を仰ぐことにより、適切な処置を行えることとなる。
【００３７】
不正機器リストを管理する機関に連絡することにより、例えば、不正機器に関する統計的な情報を得ることができる。また、製造メーカーに連絡することにより、製造メーカー側で把握していない場合等に、有効な対処方法を得ることができる可能性が増大する。
【００３８】
なお、不正機器対応処理部５は、不正機器リストに該当する機器に対してデータ伝送を禁止するように、ＩＥＥＥ１３９４通信部２を制御する。これにより、不正機器ｄとの間におけるデータ伝送は不可となり、不正コピー等が防止される。
【００３９】
また、ネットワーク上に不正機器リストに該当する機器が存在することが示された不正機器対応処理部５は、データの伝送をディジタルからアナログに切換えることもできる。即ち、データ処理部３は、不正機器対応処理部５によって制御されて、送信データをアナログＩ／Ｏ部６に出力する。アナログＩ／Ｏ部６は入力された送信データを所定のアナログフォーマットで図示しない伝送路を介して他機に送信する。こうして、不正機器の存在が示された場合には、ディジタル伝送でなくアナログ伝送が行われることになり、コンテンツの著作権の保護が行われる。
【００４０】
このように、本実施の形態においては、ネットワーク上に不正機器リストに該当する機器が存在することを検出すると、ユーザーに対して、不正機器に関する情報を通知するようになっている。この通知では、不正機器を示す表示だけでなく、ユーザーの対処方法についても示してあり、不正機器の存在に対してユーザーは十分な対応が可能である。
【００４１】
図４は本発明の他の実施の形態を示すブロック図である。図４において図１と同一の構成要素には同一符号を付して説明を省略する。
【００４２】
本実施の形態は不正機器に関する情報を表示することによってユーザーに通知するのではなく、音声によってユーザーに通知するようにしたものである。
【００４３】
機器ｃは、表示部７に代えて音声ガイド部９を備えた点が機器ｂと異なる。音声ガイド部９は不正機器対応処理部５からの音声信号に基づく音声を出力することができるようになっている。
【００４４】
このように構成された実施の形態においても、不正機器リスト処理部４によってネットワーク上に不正機器リストに該当する機器が存在するか否かが判定される。不正機器対応処理部５は、不正機器リスト処理部４の判定結果が与えられて、不正機器に関する情報を出力するようになっている。この場合に、ネットワーク上に音声出力する手段が存在する場合には、不正機器に関する情報を音声出力によってユーザーに通知することも可能である。
【００４５】
即ち、不正機器に関する情報は、例えば機器ａの不正機器対応処理部５からＩＥＥＥ１３９４通信部２、ＩＥＥＥ１３９４バス１及び機器ｃのＩＥＥＥ１３９４通信部２を介して機器ｃの不正機器対応処理部５に供給される。この不正機器対応処理部５は、不正機器に関する情報を音声信号に変換して、音声ガイド部９に出力する。これにより、音声ガイド部９は、不正機器に関する情報を音声出力してユーザーに通知する。なお、通知する内容は、図１の実施の形態と同様である。
【００４６】
このように、本実施の形態においては、不正機器に関する情報の通知方法として、表示装置によって視覚的にユーザーに通知するだけでなく、音声ガイドによって不正機器の検出やユーザーが取るべき対処方法を通知することができる。
【００４７】
更に、印刷機能を有する機器がネットワーク上に存在する場合には、不正機器に関する情報を印刷してユーザーに通知するようにしてもよい。
【００４８】
また、上記各実施の形態においては、機器の製造メーカー及び不正機器リストを管理する機関への連絡は、ユーザーの操作によって行うようになっている。これに対し、これらの製造メーカー及び管理機関への連絡を自動化することも可能である。即ち、この場合は、不正機器対応処理部５は、不正機器に関する情報をネットワーク上のモデム等を利用して自動的に送信する。
【００４９】
図５はこの場合の機器構成を示す説明図である。ＩＥＥＥ１３９４バス１に接続された機器ａ，ｂ，ｆ，ｄのうち機器ｄは不正機器リストに該当する機器であり、機器ｆはモデムを備えた機器である。この場合に、機器ｄが不正機器であることを検出した機器ａの不正機器対応処理部５は、機器ｆに不正機器に関する情報を送信する。機器ｆの不正機器対応処理部５は、受信した不正機器に関する情報をモデム10を用いて、電話回線を経由して機器製造メーカー及び不正機器リストを管理する機関等に送信する。なお、送信内容としては、不正な機器を検出したこと、その機器の製造者、所有者、設置している場所、その他の機器情報等が考えられる。
【００５０】
なお、電話回線でなく無線を利用して製造メーカー及び不正機器リストを管理する機関と通信するようにしてもよい。
【００５１】
また、ユーザーの確認を得た後でなければ、不正機器に関する情報を製造メーカー及び管理機関に送信することができないようにしてもよく、また、送信操作を自動化せずに、ユーザーの指示に従って行うようにしてもよい。
【００５２】
【発明の効果】
以上説明したように本発明によれば、ネットワーク上に接続された不正機器に関する情報を通知することによって、ユーザーが十分な対応をとることを可能にすることができるという効果を有する。
【図面の簡単な説明】
【図１】本発明に係る不正機器検出装置の一実施の形態を示すブロック図。
【図２】ネットワークの接続状態を説明するための説明図。
【図３】画面表示を説明するための説明図。
【図４】本発明の他の実施の形態を示すブロック図。
【図５】本発明の他の例を示す説明図。
【符号の説明】
１…ＩＥＥＥ１３９４バス、２…ＩＥＥＥ１３９４通信部、４…不正機器リスト処理部、５…不正機器対応処理部、７…表示部。
【図１】
0004024419.tif 000002
【図２】
0004024419.tif 000003
【図３】
0004024419.tif 000004
【図４】
0004024419.tif 000005
【図５】
0004024419.tif 000006